(57)【要約】  本発明は、皮膚疾患の治療方法及び装置に関する。具体的に、本発明は、治療対象の皮膚組織を吸引して治療光及び殺菌光からなる複合光で治療することができる、皮膚疾患方法及び装置を提供する。【選択図】図１
2016537118.tif 000002
【特許請求の範囲】
【請求項１】
施術対象の皮膚組織を収容する収容空間を有するハンドピースと、
前記収容空間に吸引圧を提供する吸引モジュールと、
前記ハンドピースに備えられ、前記皮膚組織に向って高出力パルス光（ＩＰＬ、Ｉｎｔｅｎｓｅ  Ｐｕｌｓｅｄ  Ｌｉｇｈｔ）を照射する治療光ランプと、
前記ハンドピースに備えられ、前記皮膚組織に向って殺菌光を照射する殺菌光ランプと、を含む皮膚疾患治療装置。
【請求項２】
前記治療光ランプの高出力パルス光と前記殺菌光ランプの殺菌光との干渉位置に配置され、前記治療光ランプと前記殺菌光ランプとの相互光干渉を遮断する保護プレートをさらに含む、請求項１に記載の皮膚疾患治療装置。
【請求項３】
前記ハンドピースは、施術対象の皮膚組織に向って開放された下部を備えており、
前記治療光ランプは、前記殺菌光ランプに比べて前記開放された下部に近く配置されており、
前記治療光ランプと前記殺菌光ランプとの間に配置され、前記治療光ランプの光を前記開放された下部に反射させる光反射機能を有する保護プレートをさらに含む、請求項１に記載の皮膚疾患治療装置。
【請求項４】
前記ハンドピースの内部において前記治療光ランプと前記殺菌光ランプとの相互光干渉を遮断するように備えられる保護プレートをさらに含み、
前記保護プレートは、前記治療光ランプと前記殺菌光ランプとの間を横切るように配置されており、端部に比べて中央部が前記治療光ランプに向って凸状の形状を有する、請求項１に記載の皮膚疾患治療装置。
【請求項５】
前記ハンドピースの内部において前記治療光ランプと前記殺菌光ランプとの相互光干渉を遮断するように備えられる保護プレートをさらに含み、
前記保護プレートは、前記治療光ランプと前記殺菌光ランプとの間を横切るように配置されており、端部から中央部に行くに従って下り傾斜する構造を有する、請求項１に記載の皮膚疾患治療装置。
【請求項６】
前記治療光ランプは前記ハンドピースの内部に配置されており、
前記殺菌光ランプは前記ハンドピースの外部に配置されている、請求項１に記載の皮膚疾患治療装置。
【請求項７】
前記殺菌光ランプは、２６５〜３４０ｎｍの波長を有する紫外線（ＵＶ）光を照射する、請求項１に記載の皮膚疾患治療装置。
【請求項８】
前記殺菌光ランプは、４００ｎｍ〜５００ｎｍの波長を有するブルーＬＥＤ（ｂｌｕｅ  ＬＥＤ）光を照射する、請求項１に記載の皮膚疾患治療装置。
【請求項９】
前記ハンドピースは、施術対象の皮膚組織に向って開放された下部を有し、
前記治療光ランプは、前記殺菌光ランプに比べて前記開放された下部に近い位置に、複数個が互いに離間して平行に提供されており、
前記殺菌光ランプは、前記治療光ランプの間の隙間空間に対向するように配置されている、請求項１に記載の皮膚疾患治療装置。
【請求項１０】
前記ハンドピースは、前記収容空間と連通された吸引ポートを備えており、
前記吸引モジュールは、前記吸引ポートに連結されて前記収容空間内の空気を吸引する吸引部材を含む、請求項１に記載の皮膚疾患治療装置。
【請求項１１】
前記ハンドピースと前記皮膚組織との間の距離値を検知する距離センサと、
前記距離センサから距離データを受信して、前記吸引モジュール、前記治療光ランプ、及び前記殺菌光ランプを駆動させるコントローラと、をさらに含む、請求項１に記載の皮膚疾患治療装置。
【請求項１２】
前記コントローラは、前記距離センサから前記距離値を受信して、前記距離値が予め設定された基準値範囲に該当すると、前記吸引モジュール、前記治療光ランプ、及び前記殺菌光ランプが順に繰り返されるように駆動制御する、請求項１１に記載の皮膚疾患治療装置。
【請求項１３】
前記コントローラは、前記吸引モジュール、前記治療光ランプ、及び前記殺菌光ランプを所定時間間隔を置いて順に駆動させ、前記殺菌光ランプを駆動させる前に、前記吸引モジュールと前記治療光ランプの駆動を同時にオフさせる、請求項１１に記載の皮膚疾患治療装置。
【請求項１４】
施術対象の皮膚組織を定義するステップと、
前記皮膚組織に高出力パルス光（ＩＰＬ、Ｉｎｔｅｎｓｅ  Ｐｕｌｓｅｄ  Ｌｉｇｈｔ）を照射する治療光照射ステップと、
前記皮膚組織に殺菌光を照射する殺菌光照射ステップと、を含む、皮膚疾患の治療方法。
【請求項１５】
前記施術対象の皮膚組織を定義するステップは、吸引圧を用いて前記皮膚組織をハンドピース内の収容空間に収容させるステップを含む、請求項１４に記載の皮膚疾患の治療方法。
【請求項１６】
前記殺菌光照射ステップは、
前記皮膚組織にＬＥＤ（ＬＥＤ、Ｌｉｇｈｔ―Ｅｍｉｔｔｉｎｇ  Ｄｉｏｄｅ）光を照射する、ＬＥＤ光照射ステップを含む、請求項１４に記載の皮膚疾患の治療方法。
【請求項１７】
前記施術対象の皮膚組織を定義するステップは、前記皮膚組織とハンドピースとの密着有無を判断するステップを含む、請求項１４に記載の皮膚疾患の治療方法。
【請求項１８】
前記治療光照射ステップまたは前記殺菌光照射ステップは、前記皮膚組織と前記ハンドピースとの密着有無が判断されると自動で行われる、請求項１４に記載の皮膚疾患の治療方法。
【請求項１９】
前記施術対象の皮膚組織を定義するステップは、前記皮膚組織とハンドピースとの密着有無を判断するステップを含み、
前記皮膚組織と前記ハンドピースとの密着有無が判断されると、前記治療光照射ステップと前記殺菌光照射ステップが順に自動で行われる、請求項１４に記載の皮膚疾患の治療方法。
【請求項２０】
前記治療光照射ステップは、
前記施術対象の皮膚組織を定義するステップの進行過程で前記高出力パルス光を照射するステップと、
前記施術対象の皮膚組織を定義するステップと同時に前記高出力パルス光のの照射を終了するステップと、を含む、請求項１４に記載の皮膚疾患の治療方法。
【請求項２１】
施術対象の皮膚組織を収容する収容空間、及び施術対象の皮膚組織に向って開放された下部を有するハンドピースと、
前記収容空間に吸引圧を提供する吸引モジュールと、
前記ハンドピースに配置され、前記皮膚組織に向って高出力パルス光（ＩＰＬ、Ｉｎｔｅｎｓｅ  Ｐｕｌｓｅｄ  Ｌｉｇｈｔ）を照射する治療光ランプと、
前記ハンドピースに配置され、前記皮膚組織に向って殺菌光を照射する殺菌光ランプと、を含み、
前記治療光ランプは、前記収容空間内において前記開放された下部と向い合うように配置されており、
前記殺菌光ランプは、前記収容空間内において前記開放された下部の一側に配置されている、皮膚疾患治療装置。
【請求項２２】
前記殺菌光は、４００ｎｍ〜５００ｎｍの波長を有するブルーＬＥＤ（ｂｌｕｅ  ｌｅｄ）光である、請求項２１に記載の皮膚疾患治療装置。
【請求項２３】
前記治療光ランプは、前記収容空間内の上部領域に配置されており、
前記殺菌光ランプは、前記開放された下部と前記治療光ランプとが互いに向い合う空間を外れて前記収容空間の側部領域に配置されている、請求項２１に記載の皮膚疾患治療装置。
【請求項２４】
施術対象の皮膚組織に向って開放された下部を有するハンドピースと、
前記ハンドピースに配置され、前記皮膚組織に向って高出力パルス光（ＩＰＬ、Ｉｎｔｅｎｓｅ  Ｐｕｌｓｅｄ  Ｌｉｇｈｔ）を照射する複数の高出力パルス光照射器と、
前記複数の高出力パルス光照射器の光の照射を制御する制御装置と、を含み、
前記制御装置は、前記複数の高出力パルス光照射器をそれぞれ独立に制御する、皮膚疾患治療装置。
【請求項２５】
前記制御装置は、
前記複数の高出力パルス光照射器がそれぞれ同一の位相を有するパルス光を照射するように制御することを特徴とする、請求項２４に記載の皮膚疾患治療装置。
【請求項２６】
前記制御装置は、
前記複数の高出力パルス光照射器がそれぞれ異なる位相を有するパルス光を照射するように制御することを特徴とする、請求項２４に記載の皮膚疾患治療装置。
【請求項２７】
前記制御装置は、
２個の高出力パルス光照射器が、互いに１／２周期の位相差を有するパルス光を照射するように制御することを特徴とする、請求項２６に記載の皮膚疾患治療装置。
【請求項２８】
前記ハンドピースは、施術対象の皮膚組織を収容する収容空間を有しており、
前記収容空間に吸引圧を提供する吸引モジュールをさらに含むことを特徴とする、請求項２４に記載の皮膚疾患治療装置。
【請求項２９】
前記ハンドピースの開放された下部には皮膚接触検知センサが備えられており、
前記センサに皮膚が接触されると前記光の照射が行われることを特徴とする、請求項２４に記載の皮膚疾患治療装置。
【請求項３０】
前記ハンドピースに備えられ、前記皮膚組織に向って殺菌光を照射する殺菌光ランプをさらに含む、請求項２４に記載の皮膚疾患治療装置。
【発明の詳細な説明】
【技術分野】
【０００１】
本発明は、皮膚疾患の治療方法及び装置に関し、より詳細には、治療対象の皮膚組織を吸引して治療光及び殺菌光を含む複合光で治療することができる皮膚疾患方法及び装置に関する。
【背景技術】
【０００２】
皮膚疾患の一種であるニキビは、毛嚢・脂腺系の慢性炎症疾患であって、面皰（毛嚢内にたまって固くなった皮脂）、丘疹、膿、結節などの様々な皮膚変化を引き起こし、それによる後遺症として、陥凹した傷や拡がった傷を残すこともある。
【０００３】
通常、皮脂腺と毛穴の相関関係によって皮膚疾患の発生が促進され得るが、ニキビは、一般に、過剰な皮脂分泌、毛穴の異常角化症、細菌増殖、及び炎症などによって生じる。
【０００４】
近年、かかるニキビを治療するために種々の医療機器が販売されており、中でも、皮膚を専門的に治療及び管理する皮膚科などでは、注射療法、皮膚疾患の圧出治療、剥皮術などにより皮膚疾患を治療している。
【０００５】
また、皮脂腺と毛穴に選択的に吸収して、特定波長の光（例えば、高出力パルス光、ＩＰＬ：Iｎｔｅｎｓｅ  Ｐｕｌｓｅｄ  Ｌｉｇｈｔ）を照射して活性化させることで、皮脂腺と毛穴内の皮膚疾患の原因菌を破壊させる光線力学的治療（ＰＤＴ、Ｐｈｏｔｏ  Ｄｙｎａｍｉｃ  Ｔｈｅｒａｐｙ）を利用する場合もある。
【０００６】
本発明に係る先行文献として、韓国特許出願公開第１０‐２００４‐００４８８８８号（２００４．０６．１０．公開）の公報が挙げられ、上記の先行文献には、皮膚疾患の治療方法及び治療用装置に関する技術が開示されている。
【０００７】
また、顔面潮紅、肝斑、そばかす、くすみなどの色素性疾患または血管疾患などの治療のための種々の皮膚疾患治療装置が販売されている。
【０００８】
中で、皮膚科で用いられている高価の皮膚疾患治療装置では、高出力パルス光（ＩＰＬ：Ｉｎｔｅｎｓｅ  Ｐｕｌｓｅｄ  Ｌｉｇｈｔ）を用いる。この装置は、高出力パルス光（ＩＰＬ）を手術対象組織に照射して、顔面潮紅、肝斑、そばかす、くすみなどの色素性疾患または血管疾患などの皮膚疾患を治療する。
【発明の概要】
【発明が解決しようとする課題】
【０００９】
本発明は、治療光及び殺菌光を含む複合光を同時に適用して、皮膚疾患の治療だけでなく、治療後における殺菌機能も一括して行うことにより、皮膚疾患の治療効率を向上させることができる皮膚疾患の治療方法及び装置を提供する。
【００１０】
本発明が達成しようとする技術的課題は上述の課題に制限されず、言及されていない他の課題は、以下の記載から当業者に明確に理解されるであろう。
【課題を解決するための手段】
【００１１】
本発明の一実施例による皮膚疾患治療装置は、施術対象の皮膚組織を収容する収容空間を有するハンドピースと、前記収容空間に吸引圧を提供する吸引モジュールと、前記ハンドピースに備えられ、前記皮膚組織に向って高出力パルス光（ＩＰＬ、Ｉｎｔｅｎｓｅ  Ｐｕｌｓｅｄ  Ｌｉｇｈｔ）を照射する治療光ランプと、前記ハンドピースに備えられ、前記皮膚組織に向って殺菌光を照射する殺菌光ランプと、を含む。
【００１２】
本発明の一実施例による皮膚疾患の治療方法は、施術対象の皮膚組織を定義するステップと、前記皮膚組織に高出力パルス光（ＩＰＬ、Ｉｎｔｅｎｓｅ  Ｐｕｌｓｅｄ  Ｌｉｇｈｔ）を照射する治療光照射ステップと、前記皮膚組織に殺菌光を照射する殺菌光照射ステップと、を含む。
【００１３】
本発明の他の実施例による皮膚疾患治療装置は、施術対象の皮膚組織を収容する収容空間、及び施術対象の皮膚組織に向って開放された下部を有するハンドピースと、前記収容空間に吸引圧を提供する吸引モジュールと、前記ハンドピースに配置され、前記皮膚組織に向って高出力パルス光（ＩＰＬ、Ｉｎｔｅｎｓｅ  Ｐｕｌｓｅｄ  Ｌｉｇｈｔ）を照射する治療光ランプと、前記ハンドピースに配置され、前記皮膚組織に向って殺菌光を照射する殺菌光ランプと、を含み、前記治療光ランプは、前記収容空間内において前記開放された下部と向い合うように配置されており、前記殺菌光ランプは、前記収容空間内において前記開放された下部の一側に配置されている。
【００１４】
本発明のさらに他の実施例による皮膚疾患治療装置は、施術対象の皮膚組織に向って開放された下部を有するハンドピースと、前記ハンドピースに配置され、前記皮膚組織に向って高出力パルス光（ＩＰＬ、Ｉｎｔｅｎｓｅ  Ｐｕｌｓｅｄ  Ｌｉｇｈｔ）を照射する複数の高出力パルス光照射器と、前記複数の高出力パルス光照射器の光の照射を制御する制御装置と、を含み、前記制御装置は、前記複数の高出力パルス光照射器をそれぞれ独立に制御する。
【発明の効果】
【００１５】
本発明の一実施例による皮膚疾患の治療方法は、治療光及び殺菌光を含む複合光を用いて、皮膚疾患の治療だけでなく、治療後における殺菌機能も一括して行うことにより、皮膚疾患の治療効率を向上させることができる。
【００１６】
また、本発明の一実施例による皮膚疾患の治療方法は、ハンドピースの構成の配置により、治療光及び殺菌光を含む複合光を用いることによるデバイスの誤動作や故障、及び複合光の相互干渉による施術効果の低下などを防止することができる。
【００１７】
また、本発明の他の実施例による皮膚疾患治療装置は、複数のＩＰＬを独立に制御して、出力の増大や出力安定性の向上を図ることにより、皮膚治療の持続時間を増大させることができる。
【図面の簡単な説明】
【００１８】
【図１】本発明の実施例による皮膚疾患治療装置を簡略に示す斜視図である。
【図２】本発明の実施例による皮膚疾患治療装置によるニキビの治療過程を簡略に示す概念図である。
【図３】本発明の第１実施例による皮膚疾患治療装置のハンドピースの構造を簡略に示す斜視図である。
【図４】図３に示すＡ‐Ａ´線とＢ‐Ｂ´線に沿った断面図である。
【図５】本発明の第１実施例による皮膚疾患治療装置の構成間の作動関係を簡略に示す作動関係図である。
【図６】本発明の第１実施例による皮膚疾患治療装置の構成間の作動信号を簡略に示す作動信号図である。
【図７】本発明の第２実施例による皮膚疾患治療装置のハンドピースの構造を簡略に示す側面図である。
【図８】本発明の第２実施例による皮膚疾患治療装置のハンドピースの構造を簡略に示す背面図である。
【図９】本発明の第２実施例による皮膚疾患治療装置の構成間の作動関係を簡略に示す作動関係図である。
【図１０】本発明の第２実施例による皮膚疾患治療装置の構成間の作動信号を簡略に示す作動信号図である。
【図１１】本発明の実施例による皮膚疾患の治療方法を示すフローチャートである。
【図１２】本発明の第３実施例による皮膚疾患治療装置の側面視における断面図である。
【図１３】本発明の第３実施例による皮膚疾患治療装置の前面（図１２のＦ方向）視における断面図である。
【図１４】本発明の第３実施例による皮膚疾患の治療方法を示すフローチャートである。
【図１５】本発明の第４実施例による皮膚疾患治療装置のハンドピースの構造を簡略に示す斜視図である。
【図１６】図１５に示すＡ‐Ａ´線とＢ‐Ｂ´線に沿った概略的な断面図である。
【図１７】本発明の実施例による皮膚疾患治療装置において、複数のＩＰＬのパルスが重なることを示すグラフである。
【図１８】単一ＩＰＬランプとデュアルＩＰＬランプの出力比較値を示すグラフである。
【発明を実施するための形態】
【００１９】
本発明の利点及び特徴、そしてそれらを達成する方法は、添付図面とともに詳細に後述する実施例に限定されるものではなく、相違する様々な形態に具現され得るものであり、本発明が属する技術分野において通常の知識を有する者に発明の範疇を完全に知らせるために提供されるものであって、本発明は特許請求の範疇によって定義される。
【００２０】
また、本発明を説明するにあたり、係わる公知機能などが本発明の要旨を不明瞭にする可能性があると判断される場合には、その詳細な説明を省略する。
【００２１】
以下、添付図面を参照して本発明の好ましい実施例による皮膚疾患治療装置について詳細に説明する。
【００２２】
図１は本発明の実施例による皮膚疾患治療装置を簡略に示す斜視図であり、図２は本発明の実施例による皮膚疾患治療装置による皮膚疾患の治療過程を簡略に示す概念図である。
【００２３】
図１及び図２を参照すると、本発明の実施例による皮膚疾患治療装置１００は、治療対象の皮膚組織に治療光及び殺菌光を含む複合光を照射して、皮膚組織内の皮膚疾患を治療することができる。前記治療光としては高出力パルス光（ＩＰＬ）が選択されることができ、前記殺菌光としては紫外線（ＵＶ）光またはＬＥＤ光が選択されることができる。
【００２４】
前記皮膚疾患治療装置１００は、本体１０１と、前記本体１０１に着脱可能に備えられるハンドピース１１０と、を含むことができる。
【００２５】
前記本体１０１は、皮膚疾患治療装置１００のボディ体に該当する。前記本体１０１の前面には、タッチスクリーン１０２が備えられることができる。前記タッチスクリーン１０２は、前記本体１０１に着脱可能であり、且つその画面の角度が多様に調節可能であるように設けられることができる。施術者（不図示）は前記タッチスクリーン１０２を操作することで、前記皮膚疾患治療装置１００を動作させることができる。
【００２６】
前記本体１０１には、前記ハンドピース１１０との連結のための吸引ライン１０３が備えられることができる。前記吸引ライン１０３の一端は前記本体１０１内に備えられた吸引部材（不図示）に連結され、他端は前記ハンドピース１１０に連結されることができる。前記吸引ライン１０３は、前記本体１０１内に備えられた吸引部材（不図示）の吸引圧を前記ハンドピース１１０に伝達することができる。
【００２７】
前記本体１０１は、前記ハンドピース１１０と連結される部位に、前記ハンドピース１１０を載置することができる載置台（不図示）を備えることができる。前記載置台は、前記ハンドピース１１０の一部が挿入されて固定されるように、前記本体１０１の一部に凹陥した形態で提供されることができる。または、前記載置台は、前記本体１０１の外部に別に備えられ、前記ハンドピース１１０をかけておくことができる形態で提供されることができる。
【００２８】
図２の（ａ）〜（ｄ）を順に参照しながら、本発明による皮膚疾患（ニキビ）の治療過程を概念的に説明する。本発明による皮膚疾患治療装置１００は、前記ハンドピース１１０を治療対象の皮膚組織Ｓに密着させた後、該当部位を治療及び殺菌処理する機能を有する。
【００２９】
図２の（ａ）を参照すると、治療対象であるニキビ皮膚組織に向って前記皮膚疾患治療装置１００のハンドピース１１０を密着させることができる。
【００３０】
本発明による皮膚疾患治療装置１００は、前記ハンドピース１１０がニキビ皮膚組織に密着されると別のスイッチまたはボタンなどの操作なしに自動で作動する駆動メカニズムを有することができる。この場合、施術者は、別に操作しなくても簡単に且つ自動で、予め設定された施術条件で施術を行うことができる。そのため、熟練していない施術者であっても理想的な施術条件で施術を行うことができる利点がある。
【００３１】
図２の（ｂ）を参照すると、前記ハンドピース１１０が前記ニキビ皮膚組織に密着された状態で、ニキビが発生した部分に詰まった皮脂残分を真空陰圧を用いて吸い出すことができる。吸い出された皮脂残分は、前記吸引ライン１０３を介して前記ハンドピース１１０の外部に排出されることができる。このステップでは、高出力パルス光（ＩＰＬ）をニキビ皮膚組織に照射する前に、ニキビの治療に適した環境を作ることができる。
【００３２】
図２の（ｃ）を参照すると、真空陰圧により表皮の外に吸い出された残分及びニキビの発生部位（ニキビ皮膚組織）に向って高出力パルス光を照射することができる。
【００３３】
図２の（ｄ）を参照すると、前記高出力パルス光が照射されたニキビ皮膚組織に殺菌光（一実施例として、紫外線（ＵＶ）光）を照射することで、ニキビの発生部位を殺菌処理することができる。
【００３４】
ここで、前記治療光及び殺菌光が順にまたは同時にニキビの発生部位に向って照射されることができ、これは、ユーザの指令または予め設定された駆動メカニズムに応じて制御することができる。
【００３５】
本発明は、ハンドピースを施術対象部位である皮膚疾患の皮膚組織に吸着させ、治療光及び殺菌光を順にシーケンス制御する第１実施例と、殺菌光がガイド及び殺菌作用を同時に行うようにした第２実施例とに分けられる。
【００３６】
第１実施例
図３は本発明の第１実施例による皮膚疾患治療装置のハンドピースの構造を簡略に示す斜視図であり、図４は図３に示すＡ‐Ａ´線とＢ‐Ｂ´線に沿った断面図であり、図５は皮膚疾患治療装置の構成間の作動関係を簡略に示す作動関係図である。
【００３７】
図３  から図５を参照すると、本発明の第１実施例による皮膚疾患治療装置は、ハンドピース１１０と、吸引モジュール１２０と、治療光ランプ１３０と、殺菌光ランプ１４０と、距離センサ１５０と、コントローラ１６０と、保護プレート１７０と、を含むことができる。
【００３８】
前記ハンドピース１１０は、下部が開放されたケース構造を有することができる。前記ハンドピース１１０の開放された下部には、施術対象の皮膚組織と接触される接触部１１２が提供されることができる。前記接触部１１２は、前記開放された下部に着脱可能なキャップ（ｃａｐ）形態で提供されることができる。前記ハンドピース１１０の内部には、施術対象の皮膚組織を収容する収容空間が備えられることができる。施術時に、前記施術対象の皮膚組織が前記接触部１１２を介して前記収容空間に吸引されて収容されることができる。
【００３９】
前記ハンドピース１１０は、ユーザが握りやすいように、一側に取っ手が備えられたマウスの形態からなることができる。前記ハンドピース１１０の形状及び構造などは、ユーザの便宜性及び視覚的デザインなどを考慮して変更され得る。前記ハンドピース１１０は、前記収容空間と連通された吸引ポート１１１を備えることができる。また、前記ハンドピース１１０の内部には、プリント回路基板（Ｐｒｉｎｔｅｄ  Ｃｉｒｃｕｉｔ  Ｂｏａｒｄ：ＰＣＢ）などの回路基板１０４が備えられることができる。
【００４０】
前記吸引モジュール１２０は、前記ハンドピース１１０の収容空間に吸引圧を提供することができる。すなわち、前記吸引モジュール１２０は、前記吸引ポート１１１に連結され、前記収容空間内の空気を吸引する吸引部材（不図示）を含むことができる。前記吸引部材としては、真空ポンプなどが用いられることができる。
【００４１】
前記治療光ランプ１３０は前記ハンドピース１１０に備えられており、前記皮膚組織に向って高出力パルス光を照射することができる。前記治療光ランプ１３０としては、高出力パルス光（ＩＰＬ）を照射することができるキセノンランプが用いられることができる。
【００４２】
前記殺菌光ランプ１４０は前記ハンドピース１１０に備えられており、前記皮膚組織に向って殺菌光を照射することで前記皮膚組織を殺菌処理することができる。この実施例では、前記皮膚組織を殺菌処理するための一例として紫外線ランプまたはＬＥＤランプなどを用いる場合を挙げて説明しているが、殺菌光ランプ１４０には、前記皮膚組織を殺菌処理することができる光源が多様に適用され得る。
【００４３】
一例として、前記殺菌光ランプ１４０が紫外線ランプである場合、前記殺菌光ランプ１４０は、殺菌、オゾン検出、表面や水汚染の除去、タンパク質分析、ＤＮＡ配列決定、新薬開発、光学検知、画像の色調測定、ＵＶ硬化、光学治療などが可能な、約２６５〜３４０ｎｍの波長を有する紫外線光を照射することができる。ここで、前記紫外線光の波長は、スペクトルによって様々な方法で分類され得るが、その中で、太陽光に対するＩＳＯ分類基準ＩＳＯ‐ＤＩＳ‐２１３４８に従う紫外線光の波長分類に該当する。
【００４４】
すなわち、本発明の殺菌光ランプ１４０は、約２６５〜３４０ｎｍの波長を有する紫外線光を照射することにより、医学及び科学的応用のための用途に活用されることができる。より好ましくは、前記殺菌光ランプ１４０は、約３１０〜３４０ｎｍの波長を有する紫外線光を照射することができる。この波長範囲の紫外線光は、乾癬、真菌症、真菌症腫瘍、湿疹などの治療に効果的であると知られている。
【００４５】
他の例として、前記殺菌光ランプ１４０がＬＥＤランプである場合、前記殺菌光ランプ１４０は、殺菌、オゾン検出、表面や水汚染の除去、タンパク質分析、ＤＮＡ配列決定、新薬開発、光学検知、画像の色調測定、ＵＶ硬化、光学治療などが可能な、約４００〜５００ｎｍの波長を有するＬＥＤ光を照射することができ、より好ましくは、４１０ｎｍの波長を有するＬＥＤ光を照射することができる。また、本発明の第３実施例による皮膚疾患治療装置では、種々のＬＥＤ光を照射することができるが、皮膚炎症性病変の減少効果に優れたブルーＬＥＤ光を照射することが最も好ましい。
【００４６】
前記距離センサ１５０は、前記ハンドピース１１０と前記皮膚組織との間の距離を検知することができる。一例として、前記距離センサ１５０は、前記皮膚組織との接触有無を検知する接触式赤外線センサであることができる。他の例として、前記距離センサ１５０は、前記皮膚組織との距離を算出する非接触式赤外線センサであることができる。かかる距離センサ１５０は、前記皮膚組織との接触または非接触有無などを検知し、その検知信号を前記コントローラ１６０に伝達することで、前記皮膚組織上に前記ハンドピース１１０が異常な位置に置かれて、施術が異常に行われることを防止することができる。
【００４７】
前記コントローラ１６０は、前記距離センサ１５０と連動されて情報の送受信が可能であり、前記吸引モジュール１２０、前記治療光ランプ１３０、及び前記殺菌光ランプ１４０を駆動制御することができる。
【００４８】
前記コントローラ１６０は、前記ハンドピース１１０と前記皮膚組織との間の距離値を前記距離センサ１５０から受信し、前記距離値が予め設定された基準値範囲に該当すると、前記吸引モジュール１２０、前記治療光ランプ１３０、及び前記殺菌光ランプ１４０が順に繰り返されるように駆動制御することができる。
【００４９】
前記予め設定された基準値範囲とは、前記ハンドピース１１０と前記皮膚組織との密着距離から、前記吸引モジュール１２０によって前記ハンドピース１１０が前記皮膚組織を吸引することができる臨界的許容距離値を意味する。
【００５０】
前記コントローラ１６０は、前記吸引モジュール１２０、前記治療光ランプ１３０、及び前記殺菌光ランプ１４０を所定の時間間隔を置いて順に駆動させるが、前記殺菌光ランプ１４０を駆動させる前に、前記吸引モジュール１２０と前記治療光ランプ１３０の駆動を同時にオフさせることができる。
【００５１】
ここで、前記コントローラ１６０は、前記治療光ランプ１３０と前記殺菌光ランプ１４０が互いに重なって駆動されないように制御することができる。前記治療光ランプ１３０と前記殺菌光ランプ１４０が同時に動作する場合、かかる複合光の同時出力による電気的過負荷が装置に加えられ、放電などの問題が発生し得る。
【００５２】
前記保護プレート１７０は前記ハンドピース１１０の内部に備えられており、前記治療光ランプ１３０と前記殺菌光ランプ１４０との間に配置されることができる。
【００５３】
前記保護プレート１７０は、前記治療光ランプ１３０の高出力パルス光と干渉される位置に配置され、且つ前記殺菌光ランプ１４０の殺菌光とは干渉されない位置に配置されることができる。より具体的に、前記保護プレート１７０は、前記ハンドピース１１０内において水平に横切る板の形態で提供されることができる。前記保護プレート１７０は、端部に比べて中央部が下方に凸状に丸みを帯びた構造を有することができる。または、前記保護プレート１７０は、端部から中央部に行くに従って下り傾斜する構造を有してもよい。さらに、前記保護プレート１７０は、前記治療光ランプ１３０に向う下部面に反射機能を有し、前記殺菌光ランプ１４０と前記距離センサ１５０に向う上部面には反射機能を有しないように提供されることができる。かかる保護プレート１７０は、前記治療光ランプ１３０と前記殺菌光ランプ１４０との相互光干渉を防止することができる。図５の（ａ）に示すように、上記のような反射機能を具現するために、前記保護プレート１７０の下部面には、光の照射方向を変換することができる反射板１７１が備えられることができる。
【００５４】
この際、前記反射板１７１は少なくとも一つの基板及び金属薄膜を含むことができる。ここで、前記基板と前記金属薄膜との間には、非対称断面を有する介在物が備えられることができる。かかる反射板１７１の構造により、前記金属薄膜から特定方向に向って光を反射させることができる。
【００５５】
前記治療光ランプ１３０は、前記保護プレート１７０の下部面に複数個備えられることができる。前記治療光ランプ１３０が複数個備えられる場合、前記複数の治療光ランプ１３０は、互いに離間して平行に配置されることができる。かかる複数の治療光ランプ１３０の配置構造により、単一の治療光ランプ１３０を用いる場合に比べて光出力が向上することができる。
【００５６】
また、前記治療光ランプ１３０は、前記反射板１７１と垂直方向に重なるように配置されることで、前記反射板１７１により高出力パルス光が反射されて前記皮膚組織に向けるようにすることができる。かかる保護プレート１７０は、下部面にのみ前記反射板１７１を備えることで、前記接触部１１２に向う方向のみに光が通過される構造を有することができる。
【００５７】
これにより、図５の（ａ）に示すように、前記保護プレート１７０の下部に配置された治療光ランプ１３０は前記保護プレート１７０を通過することができないが、前記保護プレート１７０の上部に配置された殺菌光ランプ１４０は前記保護プレート１７０を通過することができる。
【００５８】
ここで、前記治療光ランプ１３０の治療光、すなわち、高出力パルス光が前記殺菌光ランプ１４０の殺菌光と干渉されると、複合光を用いることによる施術効果の向上が期待できないだけでなく、デバイスの誤動作及び故障の要因となり得る。したがって、前記治療光ランプ１３０は、前記反射板１７１と垂直方向に重なるように配置されることが好ましい。より具体的に、前記複数の治療光ランプ１３０が前記反射板１７１の下部に互いに離間して並列に配置される場合、前記治療光ランプ１３０のそれぞれは、前記反射板１７１と互いに対向するように配置されることが好ましい。
【００５９】
一方、前記殺菌光ランプ１４０は、離間している前記治療光ランプ１３０の間の隙間に対向するように配置されることができる。さらに、前記反射板１７１は、前記殺菌光の照射経路以外の部分にのみ選択的に配置され、前記殺菌光の照射経路を妨害しないようにすることができる。この場合、前記保護プレート１７０を通過した前記殺菌光ランプ１４０の殺菌光は、前記治療光ランプ１３０の間の隙間を介して前記皮膚組織に照射されることができる。これにより、前記殺菌光ランプ１４０の殺菌光は、施術時に何ら妨害を受けることなく前記皮膚組織に最終的に照射されることができる。前記殺菌光が照射される空間以外の部分は前記反射板１７１で構成されることができる。
【００６０】
上記のようなハンドピース１１０の構成の配置により、前記治療光ランプ１３０と前記殺菌光ランプ１４０の複合光を用いることによるデバイスの誤動作や故障、及び複合光の相互干渉による施術効果の低下などを防止することができる。
【００６１】
図６は本発明の第１実施例による皮膚疾患治療装置の構成間の作動信号を簡略に示す作動信号図である。
【００６２】
図６を参照すると、本発明の第１実施例による皮膚疾患治療装置は、高出力パルス光（ＩＰＬ）と真空陰圧、及び紫外線光（ＵＶ）をシーケンス方式で駆動可能であり、光源のオン／オフ、光の照射時間及び治療間隔を別に設定することができる。
【００６３】
すなわち、本発明の第１実施例による皮膚疾患治療装置は、ハンドピースを施術対象部位である皮膚疾患の皮膚組織に吸着させ、治療光及び殺菌光を順にシーケンス制御することができる。
【００６４】
ここで、コントローラ１６０は、前記ハンドピースと前記皮膚組織との間の距離値を距離センサ１５０から受信し、前記距離値が予め設定された基準値範囲に該当すると、吸引モジュール１２０、治療光ランプ１３０、殺菌光ランプ１４０が順に繰り返されるように駆動制御することができる。
【００６５】
この際、前記コントローラ１６０は、前記吸引モジュール１２０、前記治療光ランプ１３０、及び前記殺菌光ランプ１４０を所定の時間間隔を置いて順に駆動させるが、前記殺菌光ランプ１４０を駆動させる前に、前記吸引モジュール１２０と前記治療光ランプ１３０の駆動を同時にオフさせることができる。
【００６６】
この際、前記コントローラ１６０は、前記治療光ランプ１３０と前記殺菌光ランプ１４０が互いに重なって駆動されないように制御することができる。
【００６７】
上述のように、本発明の第１実施例による皮膚疾患治療装置は、前記距離センサ１５０によりハンドピースと施術対象の皮膚組織との密着されると、自動でシーケンス駆動される方式で動作されることができる。前記殺菌光ランプ１４０は、治療光ランプ１３０の動作後に一時的にオン（ｏｎ）設定され、前記皮膚組織を殺菌処理することができる。第１実施例における前記殺菌光ランプ１４０は前記皮膚組織を殺菌処理する機能を有することができる。
【００６８】
また、本発明の第１実施例による皮膚疾患治療装置は、上記のようなハンドピース１１０の構成の配置により、前記治療光ランプ１３０と前記殺菌光ランプ１４０の複合光を用いることによるデバイスの誤動作や故障、及び複合光の相互干渉による施術効果の低下などを防止することができる。
【００６９】
第２実施例
図７は本発明の第２実施例による皮膚疾患治療装置のハンドピースの構造を簡略に示す側面図であり、図８は本発明の第２実施例によるニキビ治療装置のハンドピースの構造を簡略に示す背面図である。
【００７０】
図７及び図８を参照すると、本発明の第２実施例による皮膚疾患治療装置は、殺菌光ランプ２４０と距離センサ２５０がハンドピース２１０の外側下部に備えられる点で第１実施例と異なる。この場合、前記距離センサ２５０は、施術対象の皮膚組織との接触有無を検知する接触センサであることができる。
【００７１】
この際、前記殺菌光ランプ２４０は、コントローラにより殺菌光を照射し、前記ハンドピース２１０の移動方向のガイド及び施術対象の皮膚組織の殺菌処理を順にまたは同時に行うことができる。
【００７２】
図９は本発明の第２実施例による皮膚疾患治療装置の構成間の作動関係を簡略に示す作動関係図である。
【００７３】
図９を参照すると、ハンドピース２１０の前方下部に配置された殺菌光ランプ２４０は、殺菌光の一例として紫外線光をハンドピース２１０の移動方向に照射することができる。この場合、前記紫外線光のポイントＰを目視確認することができる。
【００７４】
この際、前記殺菌光ランプ２４０は、前記ハンドピース２１０の移動方向をガイドするとともに、照射される部位を殺菌処理することができる。
【００７５】
前記距離センサ２５０は、前記ハンドピース２１０の密着方向Ｗによって、前記ハンドピース２１０と前記皮膚組織１０との間において間隔差（ｄ２−ｄ１）が生じ得る。この際、前記距離センサ２５０は、接触式または非接触式赤外線センサからなって、前記ハンドピース２１０と前記皮膚組織１０の密着有無を上記の間隔差により検知することができる。
【００７６】
このように前記距離センサ２５０により前記間隔差が検知されると、予め設定された設定値と比較演算して、コントローラに伝送されることができる。
【００７７】
その後における前記コントローラの動作及び駆動過程は、後述する図１０を参照して説明する。
【００７８】
図１０は本発明の第２実施例による皮膚疾患治療装置の構成間の作動信号を簡略に示す作動信号図である。
【００７９】
図１０を参照すると、本発明の第２実施例による皮膚疾患治療装置は、治療光、真空陰圧、及び殺菌光をシーケンス方式で駆動可能であり、光源のオン／オフ、光の照射時間、及び治療間隔を別に設定することができる。
【００８０】
かかる本発明の第２実施例による皮膚疾患治療装置は、殺菌光によりハンドピースを施術対象部位にガイドし、前記ハンドピースを皮膚疾患の皮膚組織に吸着させて、治療光及び殺菌光を順にシーケンス制御することができる。
【００８１】
この際、本発明の第２実施例による皮膚疾患治療装置は、ハンドピース２１０の前方下部に配置された殺菌光ランプ２４０が殺菌光をハンドピース２１０の移動方向に照射することができる。前記殺菌光ランプ２４０は、前記ハンドピース２１０の移動方向をガイドするとともに、照射される部位を殺菌処理することができる。
【００８２】
治療光ランプ１３０の駆動時に、前記殺菌光ランプ２４０は、電源がオフ（ｏｆｆ）状態またはアイドル（ｉｄｌｅ）状態となるようにコントローラによって制御されることができる。これは、前記治療光ランプ１３０と同時に光を照射する場合、装置の出力が一時的に低下したり、光干渉が発生したりするなどの２次的な問題が生じ得るためである。
【００８３】
一方、前記殺菌光ランプ２４０は、前記ハンドピース２１０の移動方向をガイドする際の殺菌光の波長と、前記皮膚組織を殺菌処理する際の殺菌光の波長とが互いに異なるように、光の照射条件が設定されることができる。前記殺菌光ランプ２４０が紫外線ランプである場合、前記皮膚組織を殺菌処理する際には、前記殺菌光が２６５〜３４０ｎｍの波長範囲を有することが好ましく、前記ハンドピース２１０の移動方向をガイドする際には単純表示機能のみが制御されるようにすることができる。
【００８４】
上述のように、本発明の第２実施例による皮膚疾患治療装置は、前記殺菌光ランプ２４０が、前記ハンドピース２１０の移動方向のガイド及び前記皮膚組織の殺菌処理を同時に行うことができる。
【００８５】
この際、前記ハンドピース２１０が前記皮膚組織に密着されて前記治療光ランプ１３０が駆動される時には、前記殺菌光ランプ２４０は、装置の出力低下または光干渉などの問題を防止するために、電源が一時的にオフまたはアイドル状態となるように制御されることができる。
【００８６】
次に、本発明の実施例による皮膚疾患治療装置１００を用いて皮膚疾患を治療する方法について詳細に説明する。
【００８７】
図１１は本発明の実施例による皮膚疾患の治療方法を示すフローチャートである。
【００８８】
図１１を参照すると、本発明の実施例による皮膚疾患の治療方法は、施術対象の皮膚組織を定義するステップ（Ｓ１００）と、治療光照射ステップ（Ｓ２００）と、殺菌光照射ステップ（Ｓ３００）と、を含むことができる。
【００８９】
前記施術対象の皮膚組織を定義するステップ（Ｓ１００）は、吸引圧を用いて前記皮膚組織をハンドピース内の収容空間に収容させるステップを含むことができる。この際、前記施術対象の皮膚組織を定義するステップ（Ｓ１００）は、前記ハンドピース内の収容空間に予め設定された目標圧力の吸引圧が提供されるまで、前記ハンドピースに真空圧を加えるステップを含むことができる。ここで、前記予め設定された目標圧力とは、前記ハンドピースが前記皮膚組織を吸引することができる許容圧力の臨界値を意味する。また、前記施術対象の皮膚組織を定義するステップ（Ｓ１００）は、前記ハンドピース内の収容空間に予め設定された目標時間になるまで前記ハンドピースに真空圧を加えるステップを含むことができる。ここで、前記予め設定された目標時間とは、前記ハンドピースが前記皮膚組織を治療するための吸引時間を予め決めて設定した許容時間の臨界値を意味する。
【００９０】
一方、前記施術対象の皮膚組織を定義するステップ（Ｓ１００）は、前記皮膚組織と前記ハンドピースとの密着有無を判断するステップを含むことができる。この際、前記施術対象の皮膚組織を定義するステップ（Ｓ１００）で、前記皮膚組織と前記ハンドピースとの密着有無が判断されると、前記治療光照射ステップ（Ｓ２００）または前記殺菌光照射ステップ（Ｓ３００）が自動で行われることができる。または、前記皮膚組織と前記ハンドピースとの密着有無が判断されると、前記治療光照射ステップ（Ｓ２００）と前記殺菌光照射ステップ（Ｓ３００）が順に自動で行われることができる。
【００９１】
前記治療光照射ステップ（Ｓ２００）は、前記施術対象の皮膚組織を定義するステップ（Ｓ１００）の進行過程で前記高出力パルス光を照射するステップと、前記施術対象の皮膚組織を定義するステップ（Ｓ１００）と同時に前記治療光の照射を終了するステップと、を含むことができる。
【００９２】
前記殺菌光照射ステップ（Ｓ３００）では、前記治療光が照射された皮膚組織に向って殺菌光を照射することができる。前記殺菌光としては、紫外線光またはＬＥＤ光などが選択されることができる。この際、前記紫外線光としては２６５〜３４０ｎｍの波長を有する紫外線光を照射することができ、前記ＬＥＤ光としては約４００〜５００ｎｍの波長を有するＬＥＤ光を照射することができる。ここで、前記殺菌光照射は、前記ハンドピースの移動方向のガイド時に前記皮膚組織の殺菌処理が順にまたは同時に行われることができる。また、前記ハンドピースの移動方向のガイド時に照射される紫外線光は電源オン／オフを設定することができる。
【００９３】
上述のように、本発明の実施例による皮膚疾患治療装置及び方法は、治療光及び殺菌光の複合光を用いて、皮膚疾患の治療だけでなく、治療後における殺菌機能も一括して行うことにより、皮膚疾患の治療効率を向上させることができる。
【００９４】
また、上記のようなハンドピース構成の配置により、治療光ランプと殺菌光ランプの複合光を用いることによるデバイスの誤動作や故障、及び複合光の相互干渉による施術効果の低下などを防止することができる。
【００９５】
第３実施例
次に、本発明の第３実施例による皮膚疾患治療装置１００を用いて皮膚疾患を治療する方法について詳細に説明する。
【００９６】
図１２は本発明の第３実施例による皮膚疾患治療装置の側面視における断面図を示し、図１３は前面（図１２のＦ方向）視における断面図を示す図である。
【００９７】
図１２を参照すると、本発明の第３実施例による皮膚疾患治療装置は、ハンドピース３１０と、吸引モジュールと、治療光ランプ３３０と、殺菌光ランプ３４０と、を含むことができる。
【００９８】
前記ハンドピース３１０は、下部が開放されたケース構造を有することができる。前記ハンドピース３１０の開放された下部には、第１実施例と同様に、施術対象の皮膚組織と接触される接触部が提供されることができる。前記接触部は、前記開放された下部に着脱可能なキャップ（ｃａｐ）の形態で提供されることができる。前記ハンドピース３１０の内部には、施術対象の皮膚組織を収容する収容空間が備えられることができる。施術時に、前記施術対象の皮膚組織は、前記接触部を介して前記収容空間に吸引されて収容されることができる。
【００９９】
また、前記ハンドピース３１０は、第１実施例と同様に、ユーザが握りやすいように一側に取っ手が備えられたマウスの形態からなることができる。前記ハンドピース３１０の形状及び構造などは、ユーザの便宜性及び視覚的デザインなどを考慮して変更され得る。前記ハンドピース３１０には、前記収容空間と連通された吸引ポート１１１が備えられることができる。また、前記ハンドピース３１０の内部には、プリント回路基板（Ｐｒｉｎｔｅｄ  Ｃｉｒｃｕｉｔ  Ｂｏａｒｄ：ＰＣＢ）などの回路基板が備えられることができる。
【０１００】
本発明の第３実施例による皮膚疾患治療装置は、第１実施例と同様に吸引モジュールを備えており、前記吸引モジュールは、前記ハンドピース３１０の収容空間に吸引圧を提供することができる。すなわち、前記吸引モジュールは、前記吸引ポート１１１に連結され、前記収容空間内の空気を吸引する吸引部材（不図示）を含むことができる。前記吸引部材としては、真空ポンプなどが用いられることができる。
【０１０１】
前記治療光ランプ３３０は、前記ハンドピース３１０の収容空間内に備えられており、前記皮膚組織に向って治療光、すなわち、高出力パルス光を照射することができる。尚、前記治療光ランプ３３０は、前記収容空間内において前記開放された下部と向い合うように配置される。
【０１０２】
次に、前記殺菌光ランプ３４０は、前記ハンドピース３１０の収容空間内に備えられており、前記開放された下部の一側に配置される。
【０１０３】
より好ましくは、前記治療光ランプ３３０は、前記ハンドピース３１０の収容空間内において上部領域に配置されており、前記殺菌光ランプ３４０は、前記開放された下部と前記治療光ランプ３３０とが互いに向い合う空間を外れて前記収容空間の側部領域に配置されることができる。殺菌光ランプ３４０は熱に弱いため、治療光ランプ３３０の光の照射方向と垂直に配置されず、互いに向い合う空間を外れて配置されることが好ましい。また、治療光と殺菌光の干渉を防止する点で、殺菌光ランプ３４０が、前記開放された下部と前記治療光ランプ３３０とが互いに向い合う空間を外れて収容空間の側部領域に配置されることが好ましい。
【０１０４】
また、前記開放された下部において、殺菌光ランプ３４０と向い合う他側部には、殺菌光を反射して皮膚方向、すなわち、開放された下部方向に殺菌光を反射させることができる反射部材（不図示）がさらに設けられることができる。
【０１０５】
前記殺菌光ランプ３４０は前記ハンドピース３１０に備えられており、前記皮膚組織に向って殺菌光を照射して前記皮膚組織を殺菌処理することができる。一例として、前記殺菌光ランプ３４０が紫外線ランプである場合、前記殺菌光ランプ３４０は、殺菌、オゾン検出、表面や水汚染の除去、タンパク質分析、ＤＮＡ配列決定、新薬開発、光学検知、画像の色調測定、ＵＶ硬化、光学治療などが可能な、約２６５〜３４０ｎｍの波長を有する紫外線光を照射することができる。ここで、前記紫外線光の波長は、スペクトルによって様々な方法で分類され得るが、その中で、太陽光に対するＩＳＯ分類基準ＩＳＯ‐ＤＩＳ‐２１３４８に従う紫外線光の波長分類に該当する。すなわち、本発明の殺菌光ランプ３４０は、約２６５〜３４０ｎｍの波長を有する紫外線光を照射することで、医学及び科学的応用のための用途に活用されることができる。より好ましくは、前記殺菌光ランプ３４０は、約３１０〜３４０ｎｍの波長を有する紫外線光を照射することができる。この波長範囲の紫外線光は、乾癬、真菌症、真菌症腫瘍、湿疹などの治療に効果的であると知られている。
【０１０６】
他の例として、殺菌光ランプ３４０は、殺菌、オゾン検出、表面や水汚染の除去、タンパク質分析、ＤＮＡ配列決定、新薬開発、光学検知、画像の色調測定、ＵＶ硬化、光学治療などが可能な、約４００〜５００ｎｍの波長を有するＬＥＤ光を照射することができ、より好ましくは、４１０ｎｍの波長を有するＬＥＤ光を照射することができる。また、本発明の第３実施例による皮膚疾患治療装置は種々のＬＥＤ光を照射することができるが、皮膚炎症性病変の減少効果に優れたブルーＬＥＤ光を照射することが最も好ましい。
【０１０７】
尚、本発明の第３実施例による皮膚疾患治療装置は、第１実施例と同様に、距離センサ１５０、コントローラ１６０などの構成要素を全て含むことができる。
【０１０８】
次に、本発明の第３実施例による皮膚疾患治療装置を用いて皮膚疾患を治療する方法について詳細に説明する。
【０１０９】
図１４は本発明の第３実施例による皮膚疾患の治療方法を示すフローチャートである。
【０１１０】
図１４を参照すると、本発明の第３実施例による皮膚疾患の治療方法は、施術対象の皮膚組織を定義するステップ（Ｓ１０１）と、治療光照射ステップ（Ｓ２０１）と、殺菌光照射ステップ（Ｓ３０１）と、を含むことができる。
【０１１１】
本発明の第３実施例による皮膚疾患の治療方法の一連のステップは、上述の皮膚疾患の治療方法と同一または類似の方法により行うことができる。
【０１１２】
第４実施例
次に、本発明の第４実施例による皮膚疾患治療装置１００を用いて皮膚疾患を治療する方法について詳細に説明する。
【０１１３】
図１５は本発明の第４実施例による皮膚疾患治療装置のハンドピースの構造を簡略に示す斜視図であり、図３は図２に示すＡ‐Ａ´線とＢ‐Ｂ´線に沿った断面図である。
【０１１４】
図１５及び図１６を参照すると、本発明の第４実施例による皮膚疾患治療装置は、施術対象の皮膚組織に向って開放された下部を有するハンドピース５１０と、前記ハンドピースに配置され、前記皮膚組織に向って高出力パルス光（ＩＰＬ、Ｉｎｔｅｎｓｅ  Ｐｕｌｓｅｄ  Ｌｉｇｈｔ）を照射する複数の高出力パルス光照射器５３０Ａ、５３０Ｂと、前記複数の高出力パルス光照射器の光の照射を制御する制御装置（不図示）と、を含み、前記制御装置は、前記複数の高出力パルス光照射器５３０Ａ、５３０Ｂをそれぞれ独立に制御する。
【０１１５】
本発明の第４実施例による皮膚疾患治療装置は、前記制御装置が前記複数の高出力パルス光照射器５３０Ａ、５３０Ｂをそれぞれ独立に制御するため、パルス光を重ねることにより、出力の増大や出力安定性の向上を図ることができる効果がある。
【０１１６】
本発明の第４実施例による皮膚疾患治療装置の各構成について説明する。
【０１１７】
前記ハンドピース５１０は、下部が開放されたケース構造を有することができる。前記ハンドピース５１０の開放された下部には、施術対象の皮膚組織と接触される接触部が備えられており、前記接触部には皮膚の接触を検知するセンサ５５０が備えられることができる。そのため、前記センサに皮膚が接触されると、別のスイッチ操作なしに前記光の照射が行われることができる。また、前記ハンドピース５１０の内部には、施術対象の皮膚組織を収容する収容空間が備えられることができる。施術時に、前記施術対象の皮膚組織が前記収容空間に吸引されて収容されることができる。
【０１１８】
前記ハンドピース５１０は、ユーザが握りやすいように、一側に取っ手が備えられたマウスの形態からなることができる。前記ハンドピース５１０の形状及び構造などは、ユーザの便宜性及び視覚的デザインなどを考慮して変更され得る。前記ハンドピース５１０には、前記収容空間と連通された吸引ポート１１１が備えられることができる。
【０１１９】
次に、本発明の第４実施例による皮膚疾患治療装置は、複数の高出力パルス光照射器５３０Ａ、５３０Ｂを含む。図１６を参照すると、複数の高出力パルス光照射器５３０Ａ、５３０Ｂはハンドピース５１０内に２個が配置されているが、必要に応じて、３個以上の高出力パルス光照射器がハンドピース５１０内に備えられてもよい。
【０１２０】
次に、本発明の第４実施例による皮膚疾患治療装置は、前記複数の高出力パルス光照射器をそれぞれ独立に制御する制御装置（不図示）を含む。前記制御装置は、ハンドピース内に備えられてもよく、本体内に備えられてもよい。前記制御装置は、前記複数の高出力パルス光照射器をそれぞれ独立に制御することができるため、パルス光を重ねることにより、出力の増大や出力安定性の向上を図ることができる。
【０１２１】
前記制御装置は、前記複数の高出力パルス光照射器がそれぞれ同一の位相を有するパルス光を照射するように制御することができる。図１７の（ａ）を参照すると、それぞれ同一の位相を有するパルス光Ａ、Ｂが重なったパルス（Ａ＋Ｂ）が示されている。すなわち、前記制御装置は、複数の高出力パルス光照射器の位相を同一に制御して、出力が増大したパルス光が施術対象の皮膚組織に照射されるようにすることができる。
【０１２２】
また、本発明の第４実施例による皮膚疾患治療装置は、前記ハンドピースの内部に殺菌光を照射する殺菌光ランプをさらに備えることができる。前記殺菌光ランプは、上述の本発明の実施例と同様に、前記ハンドピースに備えられることができる。
【０１２３】
高出力パルス光照射器は、通常、出力が高いほどその出力効率が著しく低下する。このような出力低下現象は、高出力パルス光の特性上、短いパルス幅として分けて出力する場合、最初時点での出力に比べて最終時点での出力が徐々に低くなることにより発生する。従来の皮膚疾患治療装置は、このような出力値の差により、単一高出力パルス光照射器で相対的に高い出力のパルス光を照射したり、安全のために、実際に所望する出力値より低い値を設定して用いていたため、実際には、予め設定された出力値の高出力パルス光を安定して照射することができなかった。
【０１２４】
しかし、本発明の第４実施例による皮膚疾患治療装置は、複数の高出力パルス光照射器を備えている。そして、前記装置は、前記複数の高出力パルス光照射器から照射されるそれぞれのパルス光が互いに重なってまたは交互に照射されるように設定される。すなわち、図１７（ａ）に示すように、本発明による皮膚疾患治療装置は、複数の高出力パルス光照射器が相対的に低い出力のパルス光を照射しても、それぞれのパルス光が重なることにより、従来の皮膚疾患治療装置と同一の出力のパルス光を照射することが可能となる。または、図１７（ｂ）に示すように、選択的に複数の高出力パルス光照射器が相対的に低い出力のパルス光を互いに交互に照射するようにして、高出力パルス光を一定で且つ安定して照射することができる。
【０１２５】
したがって、本発明の第４実施例による皮膚疾患治療装置は、従来の皮膚疾患治療装置と同一の出力のパルス光を照射可能であり、且つ高出力パルス光照射器の寿命を増加または長期間維持させることができる利点がある。
【０１２６】
特に、キセノンランプなどの高出力パルス光照射器は、出力安定性が次第に低くなって出力効率が益々低下するという問題点がある。
【０１２７】
しかし、本発明の第４実施例による装置は、複数のキセノンランプを用いるため、それぞれのキセノンランプを相対的に低い出力で用いながらも、実質的には高い出力の仕様の光を照射するという効果を有する。したがって、装置の出力安定性と信頼性を向上させることができる。
【０１２８】
図１８は単一ＩＰＬランプとデュアルＩＰＬランプの出力比較値を示すグラフである。図１８を参照すると、単一ＩＰＬランプの出力値は、パルスの時間が経過するにつれて低下し続けることが分かる。これに対し、デュアルＩＰＬランプの出力値は、パルスの時間が経過しても変化せず一定であることを確認することができる。
【０１２９】
すなわち、本発明の第４実施例による皮膚疾患治療装置のように複数の高出力パルス光照射器を用いる場合、それぞれのパルス光が重なってまたは交互に照射されるため、出力の均一性と装置の安定性を極大化することが可能である。
【０１３０】
さらに、前記制御装置は、前記複数の高出力パルス光照射器がそれぞれ異なる位相を有するパルス光を照射するように制御することができる。より具体的に、前記制御装置は、２個の高出力パルス光照射器が、互いに１／２周期の位相差を有するパルス光を照射するように制御することができる。図４の（ｂ）を参照すると、互いに１／２周期の位相差を有するパルス光Ａ、Ｂが重なったパルス（Ａ＋Ｂ）が示されている。すなわち、前記制御装置は、複数の高出力パルス光照射器の位相が異なるように制御して、出力安定性が向上したパルス光が施術対象の皮膚組織に照射されるようにすることができる。
【０１３１】
本発明の第４実施例による皮膚疾患治療装置は、複数の高出力パルス光照射器から照射されるパルス光を独立に制御して重ねることができるため、出力を増大させることにより治療持続時間を増加させることができるだけでなく、出力安定性を向上させることにより、治療器機の副作用を最小化することができる効果がある。
【０１３２】
以上、本発明による皮膚疾患治療装置及び方法について説明した。
【０１３３】
上述の詳細な説明及び添付の特許請求の範囲に用いられた用語や単語は、通常的または辞書的な意味に限定して解釈されてはならず、発明者が自らの発明を最善の方法で説明するために用語の概念を適切に定義することができるという原則にしたがって、本発明の技術的思想にかなう意味と概念で解釈されるべきである。
【０１３４】
また、本明細書に記載の実施例及び図面に示す構成は、本発明の好ましい一例示に過ぎず、本発明の技術的思想の全部を代弁しているわけではないため、本発明の出願時点においてこれらを代替することができる多様な均等物と変形例があり得ることを理解するべきである。
【符号の説明】
【０１３５】
１００  皮膚疾患治療装置
１０１  本体、１０２  タッチスクリーン
１０３  吸引ライン、１０４  回路基板
１１０（２１０、３１０、５１０）  ハンドピース、１１１  吸引ポート
１１２  接触部、１２０  吸引モジュール
１３０（３３０）  治療光ランプ、１４０（２４０、３４０）  殺菌光ランプ
１５０（２５０）  距離センサ、１６０  コントローラ
１７０  保護プレート、１７１  反射板
５３０Ａ、５３０Ｂ  高出力パルス光照射器
５５０  皮膚接触検知センサ
【図１】
2016537118.tif 000003
【図２】
2016537118.tif 000004
【図３】
2016537118.tif 000005
【図４】
2016537118.tif 000006
【図５】
2016537118.tif 000007
【図６】
2016537118.tif 000008
【図７】
2016537118.tif 000009
【図８】
2016537118.tif 000010
【図９】
2016537118.tif 000011
【図１０】
2016537118.tif 000012
【図１１】
2016537118.tif 000013
【図１２】
2016537118.tif 000014
【図１３】
2016537118.tif 000015
【図１４】
2016537118.tif 000016
【図１５】
2016537118.tif 000017
【図１６】
2016537118.tif 000018
【図１７】
2016537118.tif 000019
【図１８】
2016537118.tif 000020
【国際調査報告】
2016537118.tif 000021
2016537118.tif 000022
2016537118.tif 000023
2016537118.tif 000024
2016537118.tif 000025
2016537118.tif 000026
2016537118.tif 000027
2016537118.tif 000028